(57)【要約】【課題】カートリッジの梱包時に、カートリッジ側導電部を保護するカバーを提供する。【解決手段】開口８が形成された筐体２と、前記筐体２から露出するように前記開口８に配置される回転体９と、前記筐体２から前記筐体２の外方に向かって突出し、画像形成装置本体に設けられた給電部と接触して前記回転体９にバイアスを印加する突出部１８と、を備えるカートリッジ１に対して着脱可能に装着され、前記カートリッジ１に装着された装着状態で前記回転体９の表面を覆う回転体カバー１１において、前記突出部１８を覆って保護する保護部４５を備えている。【選択図】図９
2011069953.tif 000002
【特許請求の範囲】
【請求項１】
開口が形成された筐体と、前記筐体から露出するように前記開口に配置される回転体と、前記筐体から前記筐体の外方に向かって突出し、画像形成装置本体に設けられた給電部と接触して前記回転体にバイアスを印加する突出部と、を備えるカートリッジに対して着脱可能に装着され、前記カートリッジに装着された装着状態で前記回転体の表面を覆う回転体カバーにおいて、
前記突出部を覆う保護部を備えていることを特徴とする回転体カバー。
【請求項２】
前記装着状態において、前記回転体の表面に対向配置され、前記開口の前記回転体の軸方向に延びる対向部と、前記対向部の前記軸方向両端部のうち少なくとも一方の端部に設けられ、前記カートリッジに対して係止される係止部とを備え、
前記保護部は、前記係止部と一体的に形成されていることを特徴とする請求項１に記載の回転体カバー。
【請求項３】
前記係止部は、前記筐体において前記軸方向の端部から突出した前記回転体の軸部に係止されており、
前記保護部は、前記係止部から前記筐体に対して離れる方向に延びて形成されていることを特徴とする請求項２に記載の回転体カバー。
【請求項４】
前記係止部は、前記係止部の係止を解除するために把持する把持部を一体的に備え、
前記突出部は、帯状の金属板を厚さ方向に屈曲して形成されており、
前記突出部の長さ方向に延びる端面を含む平面は、前記把持部の操作方向を含む平面と平行であることを特徴とする請求項３に記載の回転体カバー。
【請求項５】
前記対向部は、前記回転体カバーが装着された状態で前記カートリッジを梱包する梱包材に形成される第１当接部に当接される第１被当接部と、前記筐体に形成される第２被当接部に当接する第２当接部とを備え、
前記第１被当接部と前記第２当接部は、前記軸方向において異なる位置に配置されていることを特徴とする請求項３または請求項４に記載の回転体カバー。
【請求項６】
前記係止部は、前記筐体に向けて突出し、前記保護部と前記突出部との接触を規制する規制部を含むことを特徴とする請求項２に記載の回転体カバー。
【請求項７】
前記係止部は、前記係止部の係止を解除するために把持する把持部を一体的に備え、
前記突出部は、帯状の金属板を厚さ方向に屈曲して形成されており、
前記突出部の長さ方向に延びる端面を含む平面は、前記把持部の操作方向を含む平面と平行であることを特徴とする請求項６に記載の回転体カバー。
【請求項８】
前記対向部は、前記回転体カバーが装着された状態で前記カートリッジを梱包する梱包材に形成される第１当接部に当接される第１被当接部と、前記筐体に形成される第２被当接部に当接する第２当接部とを備え、
前記第１被当接部と前記第２当接部は、前記軸方向において異なる位置に配置されていることを特徴とする請求項６または請求項７に記載の回転体カバー。
【発明の詳細な説明】
【技術分野】
【０００１】
本発明は、レーザプリンタなどの画像形成装置に備えられるカートリッジに装着される回転体カバーに関する。
【背景技術】
【０００２】
レーザプリンタなどの電子写真方式の画像形成装置には、静電潜像が形成される感光体ドラムが備えられている感光体カートリッジと、感光体カートリッジに着脱自在に装着され、その感光体ドラムの表面にトナーを供給するための現像カートリッジとが備えられているものがある。
【０００３】
例えば、現像カートリッジは、現像剤を収容する筐体と、この筐体に回転可能に支持され、現像剤を担持する現像ローラとを備えている。筐体には、長手状の開口部が形成されており、現像ローラは、その開口部において、表面の一部が露出し、感光体ドラムの表面に対向するように配置されている。そして、筐体内の現像剤は、現像ローラの表面上に担持され、現像ローラの回転に伴って、感光体ドラムの表面に接触するときに、感光体ドラムの表面に形成されている静電潜像に供給される。
【０００４】
このような現像カートリッジでは、現像ローラの表面の一部が筐体から露出しているので、現像カートリッジが感光体カートリッジから取り外された状態において、その現像ローラの表面の露出した部分が傷つくおそれがある。そのため、現像カートリッジには、感光体カートリッジから取り外された状態において、現像ローラを保護するためのカバーが装着される。
このようなカバーとして、たとえば、現像ローラに対向配置されて現像カートリッジに装着される保護カバーが提供されている（特許文献１）。
【０００５】
特許文献１に記載の現像カートリッジは、現像ローラと電気的に接続された現像電極が外側に突出した状態で設けられている。現像カートリッジを感光体カートリッジに装着した状態で装置本体に装着した際、現像電極が装置本体側に設けられた給電電極と接触して、印刷時に装置本体内の電源から両電極を介して現像ローラにバイアス電圧が印加される。
【０００６】
この現像電極は、外部から荷重が負荷されると損傷する場合があり、現像ローラに所定バイアスが印加されず、印字不良などの不具合を起こしてしまう恐れがある。そのため、現像カートリッジの取り扱い時や梱包材に梱包して運搬や保管をする時、現像電極に外部からの荷重が負荷されないようにしなければならない。
【０００７】
【特許文献１】特開２００６−３３７５３２号公報
【発明の開示】
【発明が解決しようとする課題】
【０００８】
しかしながら、特許文献１の保護カバーでは、保護カバーを現像カートリッジに装着した状態において、装置本体側と接触する現像電極が保護カバーに覆われておらず外方に露出している。このため、現像電極に汚れが付着したり、現像電極に荷重が負荷されて現像電極が損傷してしまうことで、印字不良などの不具合を起こしてしまう恐れがある。
そこで、本発明の目的は、現像カートリッジの取り扱い時や梱包材に梱包して運搬や保管をする時、画像形成装置本体に設けられた給電電極と接触する現像電極の損傷を防止することである。
【課題を解決するための手段】
【０００９】
この目的を達成するために、請求項１記載の回転体カバーは、開口が形成された筐体と、前記筐体から露出するように前記開口に配置される回転体と、前記筐体から前記筐体の外方に向かって突出し、画像形成装置本体に設けられた給電部と接触して前記回転体にバイアスを印加する突出部と、を備えるカートリッジに対して着脱可能に装着され、前記カートリッジに装着された装着状態で前記回転体の表面を覆う回転体カバーにおいて、
前記突出部を覆う保護部を備えていることを特徴とする。
【００１０】
請求項２記載の回転体カバーは、請求項１において、前記装着状態において、前記回転体の表面に対向配置され、前記開口の前記回転体の軸方向に延びる対向部と、前記対向部の前記軸方向両端部のうち少なくとも一方の端部に設けられ、前記カートリッジに対して係止される係止部とを備え、
前記保護部は、前記係止部と一体的に形成されていることを特徴とする。
【００１１】
請求項３記載の回転体カバーは、請求項２において、前記係止部は、前記筐体において前記軸方向の端部から突出した前記回転体の軸部に係止されており、
前記保護部は、前記係止部から前記筐体に対して離れる方向に延びて形成されることを特徴とする。
【００１２】
請求項４記載の回転体カバーは、請求項３において、前記係止部は、前記係止部の係止を解除するために把持する把持部を一体的に備え、
前記突出部は、帯状の金属板を厚さ方向に屈曲して形成されており、
前記突出部の長さ方向に延びる端面を含む平面は、前記把持部の操作方向を含む平面と平行であることを特徴とする。
【００１３】
請求項５記載の回転体カバーは、請求項３または請求項４において、前記対向部は、前記回転体カバーが装着された状態で前記カートリッジを梱包する梱包材に形成される第１当接部に当接される第１被当接部と、前記筐体に形成される第２被当接部に当接する第２当接部とを備え、
前記第１被当接部と前記第２当接部は、前記軸方向において異なる位置に配置されていることを特徴とする。
【００１４】
請求項６記載の回転体カバーは、請求項２において、前記係止部は、前記筐体に向けて突出し、前記保護部と前記突出部との接触を規制する規制部を含むことを特徴とする。
【００１５】
請求項７記載の回転体カバーは、請求項６において、前記係止部は、前記係止部の係止を解除するために把持する把持部を一体的に備え、
前記突出部は、帯状の金属板を厚さ方向に屈曲して形成されており、
前記突出部の長さ方向に延びる端面を含む平面は、前記把持部の操作方向を含む平面と平行であることを特徴とする。
【００１６】
請求項８記載の回転体カバーは、請求項６または請求項７において、前記対向部は、前記回転体カバーが装着された状態で前記カートリッジを梱包する梱包材に形成される第１当接部に当接される第１被当接部と、前記筐体に形成される第２被当接部に当接する第２当接部とを備え、
前記第１被当接部と前記第２当接部は、前記軸方向において異なる位置に配置されていることを特徴とする。
【発明の効果】
【００１７】
以上説明したことから明らかなように、請求項１記載の回転体カバーによると、保護部が突出部を覆っているため、突出部が他部材と干渉することがなく、突出部の損傷を防止することができる。
【００１８】
また、請求項２記載の回転体カバーによると、保護部を係止部と一体的に備えているため、部品点数を増やすことなく突出部を保護する保護部を設けることができる。
【００１９】
また、請求項３記載の回転体カバーによると、保護部を筐体に対して係止部から離れる方向に配置することで、突出部と保護部との間の間隔をあけて、他部材が干渉して保護部が筐体側に撓んでも、突出部と保護部とが接触しにくく突出部を保護することができる。よって、係止部を軸部の両端部に係止させてカートリッジに対する係止を確実に行いながら、保護すべき突出部を保護することができる。
【００２０】
また、請求項４および請求項７記載の回転体カバーによると、突出部の端面を含む面が把持部の操作方向を含む面と平行であるため、ユーザーが手で把持部を掴んで操作するときに、突出部の端面が手指に引っかかることがない。
【００２１】
また、請求項５および請求項８記載の回転カバーによると、第１被当接部と第２当接部とを回転体の軸方向にずらして配置しているため、梱包材に衝撃が加わることで第１被当接部に荷重が負荷されても、第１被当接部と第２当接部との間に配置される対向部が撓むことで衝撃を吸収する。よって、第２当接部が当接する筐体の第２被当接部への衝撃の影響を小さくすることができ、筐体（カートリッジ）の損傷を防止することができる。
【００２２】
また、請求項６記載の回転体カバーによると、係止部に荷重が負荷されても、ストッパー部が係止部の筐体への移動を規制するため、突出部が保護部と接触することがなく、突出部の破損を防止することができる。
【図面の簡単な説明】
【００２３】
【図１】第１実施形態の現像ローラカバーが装着されている現像カートリッジの正面図である。
【図２】図１のＡ−Ａ矢視断面図である。
【図３】現像カートリッジを左前方から見た斜視図である。
【図４】現像カートリッジを右前方からみた斜視図である。
【図５】現像ローラカバーを左前方からみた斜視図である。
【図６】現像ローラカバーの平面図である。
【図７】現像ローラカバーを左後方からみた斜視図である。
【図８】現像ローラカバーを現像カートリッジに装着する過程を示した図である。
【図９】現像ローラカバーを現像カートリッジに装着した状態を示した図である。
【図１０】左側係止部が撓んだときの保護部と突出部との位置関係を示した図である。
【図１１】第２実施形態の現像ローラカバーが装着されている現像カートリッジの左前方からみた要部を拡大した斜視図である。
【図１２】第２実施形態の現像ローラカバーが装着されている現像カートリッジの要部を拡大した平面図である。
【発明を実施するための形態】
【００２４】
以下、本発明の第１実施形態について、適宜図面を参照しながら詳細に説明する。
まず、図１〜図４を用いてレーザプリンタに装着される現像カートリッジの構成を説明する。
【００２５】
図１において、紙面に向かって左側を「左側」、紙面に向かって右側を「右側」とし、紙面に向かって奥側を「後側」、紙面に向かって手前側を「前側」とする。また、紙面に向かって上下方向を「上下方向」とする。
【００２６】
現像カートリッジ１は、感光体ドラムを備えるドラムカートリッジ（図示せず）に着脱自在に装着され、レーザプリンタ本体（図示せず）に対して、ドラムカートリッジに装着された状態で着脱させることができる。
【００２７】
現像カートリッジ１は、筐体２と、その筐体２内に備えられる供給ローラ１３、現像ローラ９および層厚規制部材２２とを備えている。筐体２は、図２に示すように、隔壁２３と、その隔壁２３によって仕切られるトナー収容室２４および現像室２５とを含んでいる。トナー収容室２４内には、現像剤として、正帯電性の非磁性１成分のトナーが収容されている。
【００２８】
トナー収容室２４内には、トナーを攪拌するためのアジテータ２６を備えている。図示しないモータからの駆動力がアジテータ２６に入力されると、トナー収容室２４内のトナーが、アジテータ２６によって攪拌されて現像室２５に放出される。
【００２９】
現像室２５は、隔壁２３によって仕切られた筐体２の前側の内部空間として区画されている。供給ローラ１３は、現像室２５において、隔壁２３前方に隣接して配置されている。供給ローラ１３は、金属製の供給ローラ軸１４を有している。この供給ローラ軸１４が筐体２に回転自在に支持されている。
【００３０】
現像ローラ９は、現像室２５において供給ローラ１３の前側に配置され、供給ローラ１３と互いに圧縮されるように接触している。現像ローラ９は、軸部としての金属製の現像ローラ軸１０を有している。この現像ローラ軸１０が、筐体２に対して回転自在に支持されている。現像ローラ９および供給ローラ１３は、図示しないモータからの駆動力が現像ローラ軸１０および供給ローラ軸１４に入力されることにより回転駆動される。また、現像ローラ９および供給ローラ１３には、現像時にバイアスが印加される。
【００３１】
層厚規制部材２２は、図３に示すように、金属製の板ばね材からなるブレード本体２７と、そのブレード本体２７の遊端部に備えられている断面半円形状の押圧部２８と、ブレード本体２７の基端部を筐体２の後端部に取り付けるための取付部材２９とを備えている。層厚規制部材２２が筐体２に固定された状態で、ブレード本体２７は、現像ローラ９の上方から下方に向けて延び、ブレード本体２７の遊端部に備えられている押圧部２８は、ブレード本体２７の弾性力によって現像ローラ９上に圧接される。
【００３２】
トナー収容室２４から放出されたトナーは、供給ローラ１３の回転により、現像ローラ９に供給され、このとき、供給ローラ１３と現像ローラ９との間で正極性に摩擦帯電される。現像ローラ９上に供給されたトナーは、現像ローラ９の回転に伴って、層厚規制部材２２の押圧部２８と現像ローラ９との間に進入し、一定厚さの薄層として現像ローラ９上に担持される。
【００３３】
現像カートリッジ１の筐体２は、図３および図４に示すように、上板３、後板４、左右側板５、６および底板７を一体的に有し、前側が開放されるボックス状に形成されており、その前側の開放された部分が開口８として形成されている。
右側板６には、レーザプリンタ本体から入力された駆動力を、現像ローラ９、供給ローラ１３およびアジテータ２６に伝達するためのギア（図示せず）が収容されたギアカバー８７が取り付けられている。
現像ローラ９は、開口８から筐体２の外部に露出するように配置され、現像ローラ軸１０の左側端部が左側板５から突出し、右側端部がギアカバー８７から突出した状態で筐体２に回転可能に支持されている。
【００３４】
現像ローラ軸１０の左側端部は、後述する導電性樹脂からなるカバー部材１９に一体的に形成されている第１円筒部６７を介して左側板５（筐体２）に回転可能に支持されている。
また、現像ローラ軸１０は、右側板６と対向する位置に右側軸受部材８１が装着されており、この右側軸受部材８１を介して右側板６（筐体２）に支持されている。さらに、現像ローラ軸１０のギアカバー８７から突出している右側端部には、現像ローラ軸１０の端部を保護するための現像カラー８８が装着されている。後述する現像ローラカバー１１の右側係止部５３は、この現像カラー８８に係止する。
【００３５】
供給ローラ軸１４の左側端部は、後述する導電性樹脂からなるカバー部材１９に一体的に形成されている第２円筒部６８を介して筐体２に回転自在に支持されている。また、供給ローラ軸１４の右側端部は、現像ローラ軸１０同様、筐体２とは別体である右側軸受部材８２（図２参照）を介して筐体２に回転可能に支持されている。
【００３６】
開口８の左右両側縁には、上下方向に延びる左平面部５７および右平面部５８が形成されている。左平面部５７および右平面部５８の上下方向中央部には、現像ローラ軸１０を着脱する左着脱溝３０および右着脱溝３１が形成されている。この左着脱溝３０および右着脱溝３１が、左平面部５７を第１左平面部５９と第２左平面部６０とに分割し、右平面部５８を第１右平面部６１と第２右平面部６２とに分割している。
【００３７】
また、開口８の下端縁には、左右方向に延びる下端壁３２が形成されている。この左平面部５７および右平面部５８と下端壁３２の左右両端部は、現像ローラカバー１１と当接する第２被当接部としての左第２被当接部３３および右第２被当接部３４（図３斜線部）とし、後述する現像ローラカバー１１の左第２当接部６３および右第２当接部６４が当接して現像ローラカバー１１に負荷された外力を受けている。
【００３８】
筐体２に備えられる左側板５には、金属板からなる導電性部材１５と、導電性樹脂からなるカバー部材１６とが取り付けられている。
導電性部材１５は、金属板を打ち抜いて形成されており、平板状の本体部１７と、左側板５から左方向に突出した突出部１８とを備えている。
【００３９】
突出部１８は、本体部１７から前方に延び、現像ローラ軸１０の上方に配置されている。突出部１８は、帯状で現像ローラ９の軸方向外方（金属板の厚さ方向）に向かって円弧状に屈曲している。この突出部１８の前後方向に延びる端面を含む平面は、水平面と平行な面である。この突出部１８は、レーザプリンタ本体に装着された状態で、装置本体側に備えられている給電部（図示せず）と接触して給電される。
【００４０】
カバー部材１６は、導電性樹脂から形成されており、箱形状のカバー本体部１９と、第１円筒部６７と、第２円筒部６８とを一体的に備えている。
カバー本体部１９は、導電性部材１５に形成された本体部１７を覆っており、本体部１７の一部と圧接して、導電性部材１５とカバー部材１６とを導通させている。
【００４１】
カバー部材１６には、カバー本体部１９の前方で突出部１８と対向する位置に、突出部１８を外方に露出させるための矩形状の露出孔２０が形成されている。この露出孔２０から露出された突出部１８が、レーザプリンタ本体側の給電部と接触する。
【００４２】
露出孔２０の下方には、左方向に突出した第１円筒部６７が形成されており、現像ローラ軸１０を挿通させて、現像ローラ９を筐体２に回転可能に支持している。
また、現像ローラ軸１０を挿通させる第１円筒部６７の後方には、左方向に突出した第２円筒部６８が形成されており、供給ローラ軸１４を挿通させて、供給ローラ１３を筐体２に回転可能に支持している。
【００４３】
次に、図５〜図７を用いて現像ローラカバー１１について説明する。
この現像カートリッジ１では、現像ローラ９が筐体２の開口８から前方に露出するように備えられているため、現像カートリッジ１のみを本体から離脱させた状態で、現像ローラ９が傷つくおそれがある。そのため、現像カートリッジ１のみがレーザプリンタ本体から離脱されたときには、現像カートリッジ１に対して、樹脂製の現像ローラカバー１１が筐体２の開口８を覆うように装着される。
【００４４】
現像ローラカバー１１は、現像ローラ９と対向して配置される対向部３６と、対向部３６の左右方向両端部にそれぞれ備えられる左側係止部４４および右側係止部５３と、対向部３６の上端縁から後方延びる上端部３９と、対向部３６の下端縁から後方に延びる下端部４０と、左側係止部４４の後側上方に備えられる保護部４５と、左側係止部４４の後側下方に備えられる把持部４６とを一体的に備えている。
【００４５】
対向部３６は、左右方向に延び、正面視略矩形状であって、断面形状が略円弧状をなすように形成されている。この対向部３６の左右両端部には、上下方向中央より下側の部分および上側部分を外側に膨出させた側面視略Ｌ字状の右側膨出部６６および左側膨出部６５が形成されている。
【００４６】
左側膨出部６５の左端部および右側膨出部６６の右端部には、上下方向に延びる第１被当接部としての左第１被当接部４２および右第１被当接部４３（図５斜線部）が備えられている。現像カートリッジ１を後述する梱包材８０で梱包する際に、この左第１被当接部４２および右第１被当接部４３が、後述する梱包材８０の左第１当接部８３および右第１当接部８４に当接される。左第１被当接部４２および右第１被当接部４３は、現像ローラカバー１１を現像カートリッジ１に装着した状態で、後述する左第２当接部６３および右第２当接部６４よりも左右方向内側に形成され、左第２当接部６３および右第２当接部６４と左右方向の位置が重ならないように配置されている。
【００４７】
対向部３６の背面の両側には、上下方向に延びるリブ状の第２当接部としての左第２当接部６３および右第２当接部６４が形成されている。この左第２当接部６３および右第２当接部６４は、現像ローラカバー１１を現像カートリッジ１に装着した状態で、筐体２の左第２被当接部３３および右第２被当接部３４に当接している。
【００４８】
左側係止部４４は、左方向から見たときの形状がＵ字状をなしており、対向部３６の左端縁から筐体２の左側板５にそって後方に延びて形成される。左側係止部４４は、筐体２の左側板５から突出した現像ローラ軸１０を支持している第１円筒部６７を挿通可能な左側係止孔５０が形成されている。
【００４９】
保護部４５は、左側係止部４４の後端部から斜め外側に向かって傾斜している傾斜部５１と、傾斜部５１の後端から後方に延びる水平部５２とを備えており、突出部１８を保護している。水平部５２は、突出部１８と左右方向に対向して備えられており、左右方向において筐体２の左側板５に対して左側係止部４４よりも離れる位置に配置されている。
【００５０】
把持部４６は、現像ローラカバー１１の着脱の際に把持し、左側係止部４４および保護部４５と一体的に形成されている。把持部４６は、左側係止部４４から斜め外側に延びており、上端縁が保護部４５の下端縁と連結されている。保護部４５および把持部４６と一体的に形成された左側係止部４４は、左方向に開くように弾性変形可能な可撓性を有している。現像ローラカバー１１の着脱の際に把持部４６を操作する操作方向を含む面は、水平方向であり、突出部１８の端面を含む面と平行である。
【００５１】
水平部５２は、図１０に示すように、保護部４５が左側係止部４４と共に左右方向内側に撓んだ状態で水平部５２の後端が筐体２の左側板５に接触しても、水平部５２と突出部１８との間には隙間が形成される構成となっている。
【００５２】
右側係止部５３は、左側係止部４４と同様、対向部３６の右端縁から筐体２の側板にそって後方に延びて形成され、左右方向外側から見たときの形状が円弧部分の一部を切り欠いた略Ｕ字状となっている。右側係止部５３の前側部には、切り欠かれた右側係止部５３が上下方向に開かないようにするため連結部８５が形成されている。
また、右側係止部５３は、現像ローラ軸１０を挿通した現像カラー８８が挿通可能な右側係止孔５６が形成されている。
【００５３】
上端部３９は、対向部３６の上縁の左右方向全幅から後方斜め上に向けて延びており、現像ローラカバー１１を現像カートリッジ１に装着した状態で、筐体２に形成された開口８の上部を閉鎖している。
下端部４０は、対向部３６の下縁の左右方向全幅から後方に向かって水平方向に延びており、底板７の前端部と対向させている。
【００５４】
次に、現像カートリッジ１に対する現像ローラカバー１１の装着について、図８および図９を用いて説明する。
現像ローラカバー１１を現像カートリッジ１に装着するときには、右側係止部５３に形成されている右側係止孔５６に、現像ローラ軸１０の右端部に外装している現像カラー８８を挿通させて、現像ローラ軸１０の右端部に右側係止部５３を係止させる。
【００５５】
次に、左側係止部４４と一体的に形成されている把持部４６を左方向に向けて引っ張り、把持部４６を幅方向外側に開くように弾性変形させながら、現像ローラカバー１１を、右側係止部５３を支点として、現像ローラ９の表面に近づくように揺動させる。
【００５６】
このとき、現像ローラカバー１１の上端部３９が上板３と対向し、下端部４０が底板７と対向するように現像ローラカバー１１の現像カートリッジ１に対する傾きを調整して、現像ローラカバー１１を回転させる。
【００５７】
そして、左側係止部４４に形成されている左側係止孔５０が、現像ローラ軸１０の左端部に外装されている第１円筒部６７に左右方向外側から対向すると、把持部４６の引っ張りを解除する。
【００５８】
すると、左側係止部４４および把持部４６の復元力によって、把持部４６が元の状態に戻り、左側係止孔５０に現像ローラ軸１０の左端部を支持している第１円筒部６７が挿通されて、左側係止部４４が現像ローラ軸１０の左端部に係止される。これによって、現像ローラカバー１１の現像カートリッジ１への装着が達成される。
【００５９】
この現像ローラカバー１１を現像カートリッジ１に装着した状態において、現像ローラカバー１１の背面側に形成された左第２当接部６３および右第２当接部６４は、筐体２に形成された左第２被当接部３３および右第２被当接部３４に当接される。
【００６０】
現像ローラカバー１１が装着された現像カートリッジ１は、梱包袋（図示せず）に収納され、梱包袋に収納された状態で、梱包材８０が装着される。梱包材８０は、現像カートリッジ１の左右両方向から装着され、図２に示すように、梱包材８０の第１当接部としての左第１当接部８３および右第１当接部８４が左第１被当接部４２および右第１被当接部４３と接触する。現像カートリッジ１に梱包材８０が装着された状態で、さらに梱包箱（図示せず）に収容されて運搬・出荷される。
【００６１】
次に、本実施形態の作用・効果を説明する。
本実施形態によると、保護部４５が突出部１８を覆っているため、突出部１８が他部材と干渉することがなく、突出部１８の損傷を防止することができる。
【００６２】
保護部４５を左側係止部４４と一体的に形成しているため、部品点数を増やすことなく突出部１８を保護する保護部４５を設けることができる。
【００６３】
また、保護部４５を筐体２に対して左側係止部４４から離れる方向に配置することで、突出部１８と保護部４５と間の間隔をあけ、他部材が干渉して保護部４５が筐体側に撓んでも、突出部１８と保護部４５とが接触しにくく、突出部１８を保護することができる。よって、現像カートリッジ１に対する係止を確実に行いながら、保護すべき突出部１８を保護することができる。
【００６４】
また、突出部１８の端面を含む面が把持部４６の操作方向を含む面と平行であるため、ユーザーが手で把持部４６を掴んで操作するときに、突出部１８の端面が手指に引っかかることがない。
【００６５】
また、現像ローラカバー１１に形成される左第１被当接部４２および右第１被当接部４３と左第２当接部６３および右第２当接部６４とを左右方向にずらして配置しているため、梱包材８０に衝撃が加わることで左第１被当接部４２および右第１被当接部４３に荷重が負荷されても、左第１被当接部４２および右第１被当接部４３と左第２当接部６３および右第２当接部６４との間に配置される対向部３６が撓むことで衝撃を吸収する。よって、左第２当接部６３および右第２当接部６４が当接する筐体２の左第２被当接部３３および右第２被当接部３４への衝撃の影響を小さくすることができ、筐体の損傷を防止することができる。
【００６６】
本発明の第２実施形態の現像ローラカバーについて、図１１および図１２を参照して説明する。
本実施形態の現像ローラカバーは、左側係止部、保護部および把持部の構成を第１実施形態と相違させ、他の構成は第１実施形態と同様であり、同一符号を付して説明を省略する。
【００６７】
左側係止部７１は、第１円筒部６７が挿通可能な左側係止孔７６が形成されている。
把持部７７は、係止連結部７５後端の上下全幅から斜め外側に延びて形成されている。把持部７７の上端縁からは、右方向に向かって側面視略矩形状の規制部としてのストッパー部７８が突出しており、現像ローラカバー１１を現像カートリッジ１に装着した状態で、ストッパー部７８の右端がカバー部材１６の左側壁に当接する。
【００６８】
また、左側係止部７１の後端部から把持部７７の前端部にかけて、突出部と１８対向する位置に、左右方向外側に凹む凹部７９が形成されており、突出部１８と左側係止部７１および把持部７７との間隔を大きくしている。
【００６９】
本実施形態によると、左側係止部７１に外から荷重が負荷されても、ストッパー部７８が左側係止部７１の筐体２への移動を規制するため、突出部１８が保護部４５と接触することがなく、突出部１８の破損を防止することができる。
【符号の説明】
【００７０】
１  現像カートリッジ（カートリッジ）
２  筐体
８  開口
９  現像ローラ（回転体）
１０  現像ローラ軸（軸部）
１１  現像ローラカバー（回転体カバー）
１８  突出部
３３  左第２被当接部
３４  右第２被当接部
３６  対向部
４２  左第１被当接部
４３  右第１被当接部
４４  左側係止部（係止部）
４５  保護部
４６  把持部
５３  右側係止部（係止部）
６３  左第２当接部
６４  右第２当接部
７８  ストッパー部
８０  梱包体
【図１】
2011069953.tif 000003
【図２】
2011069953.tif 000004
【図３】
2011069953.tif 000005
【図４】
2011069953.tif 000006
【図５】
2011069953.tif 000007
【図６】
2011069953.tif 000008
【図７】
2011069953.tif 000009
【図８】
2011069953.tif 000010
【図９】
2011069953.tif 000011
【図１０】
2011069953.tif 000012
【図１１】
2011069953.tif 000013
【図１２】
2011069953.tif 000014